(57)【要約】【課題】  運転者の注意力を妨げない程度に、ある地域に関する情報を加工し、地域情報の閲覧を要求する運転者にとって有益な情報を配信することが可能な地域情報配信システムを提供する。【解決手段】  地域情報を保持する第1の地域情報配信サーバ１と、前記地域情報に関連する関連情報を保持する第２の地域情報配信サーバ４と、前記地域情報と前記関連情報とを受信してユーザへ提示する車載情報提示装置６と、で構成される地域情報配信システムにおいて、前記関連情報が道路状況に関するヒヤリハット情報であり、第２の地域情報配信サーバ４から前記関連情報を収集する手段を第1の地域情報配信サーバ１が具備し、前記関連情報の中から任意のフィルタ条件を満たした情報を抽出する関連情報フィルタリング手段とを具備するものである。【選択図】  図１
2008009624.tif 000002
【特許請求の範囲】
【請求項１】
地域情報を保持する第1の地域情報配信サーバと、前記地域情報に関連する関連情報を保持する第２の地域情報配信サーバと、前記地域情報と前記関連情報とを受信してユーザへ提示する車載情報提示装置と、で構成される地域情報配信システムにおいて、
前記関連情報が道路状況に関するヒヤリハット情報であり、前記第２の地域情報配信サーバから前記関連情報を収集する手段を前記第１の地域情報配信サーバが具備し、前記関連情報の中から任意のフィルタ条件を満たした情報を抽出する関連情報フィルタリング手段とを具備することを特徴とする地域情報配信システム。
【請求項２】
前記第1の地域情報配信サーバが前記関連情報フィルタリング手段を具備することを特徴とする請求項１に記載の地域情報配信システム。
【請求項３】
前記車載情報提示装置が前記関連情報フィルタリング手段を具備することを特徴とする請求項１に記載の地域情報配信システム。
【請求項４】
前記関連情報フィルタリング手段が前記関連情報から任意の条件を満たす関連情報のみを抽出した情報を生成することを特徴とする請求項１から３のいずれかに記載の地域情報配信システム。
【請求項５】
前記関連情報フィルタリング手段が前記関連情報から任意の条件による統計情報を生成することを特徴とする請求項１から３のいずれかに記載の地域情報配信システム。
【請求項６】
前記関連情報フィルタリング手段が前記関連情報から前記関連情報の要約を生成することを特徴とする請求項１から３のいずれかに記載の地域情報配信システム。
【発明の詳細な説明】
【技術分野】
【０００１】
本発明は、地域情報を配信する地域情報配信システムに関し、特に道路を走行する車両の運転者にとって有益な地域情報を配信する地域情報配信システムに関するものである。
【背景技術】
【０００２】
地域情報を車載端末へ提供するシステムとして、様々な人が作成した情報をもとに地域情報を生成・配信するシステムが知られている。
【特許文献１】特開２００６−５９１０６号公報
【特許文献２】特開２００６−６５５３５号公報
【発明の開示】
【発明が解決しようとする課題】
【０００３】
従来のシステムでは、ある地域情報とその地域情報に対する様々な人の意見や感想、及び関連知識などの関連情報を、そのままＷｅｂブラウザで提示している。この地域情報、及び関連情報の中には、情報の閲覧者が閲覧する時点においてあまり有益にならない情報が含まれる場合があり、前述のシステムをそのまま車載情報提示装置に適用すると、情報の閲覧者である車両運転者にとって煩わしく感じられ、運転者の注意力を散漫にさせてしまう場合がある、といった問題点があった。
【０００４】
そこで本発明は、運転者の注意力を妨げない程度に、ある地域に関する情報を加工し、地域情報の閲覧を要求する運転者にとって有益な情報を配信することが可能な地域情報配信システムを提供することを目的とするものである。
【課題を解決するための手段】
【０００５】
本発明は、前述した課題を解決するために、地域情報を保持する第1の地域情報配信サーバと、前記地域情報に関連する関連情報を保持する第２の地域情報配信サーバと、前記地域情報と前記関連情報とを受信してユーザへ提示する車載情報提示装置と、で構成される地域情報配信システムにおいて、前記関連情報が道路状況に関するヒヤリハット情報であり、前記第２の地域情報配信サーバから前記関連情報を収集する手段を前記第１の地域情報配信サーバが具備し、前記関連情報の中から任意のフィルタ条件を満たした情報を抽出する関連情報フィルタリング手段とを具備するものである。
【０００６】
また、前記第1の地域情報配信サーバが前記関連情報フィルタリング手段を具備するものである。
【０００７】
また、前記車載情報提示装置が前記関連情報フィルタリング手段を具備するものである。
【０００８】
また、前記関連情報フィルタリング手段が前記関連情報から任意の条件を満たす関連情報のみを抽出した情報を生成するものである。
【０００９】
また、前記関連情報フィルタリング手段が前記関連情報から任意の条件による統計情報を生成するものである。
【００１０】
また、前記関連情報フィルタリング手段が前記関連情報から前記関連情報の要約を生成するものである。
【発明の効果】
【００１１】
運転者の注意力を妨げない程度に、ある地域に関する情報を加工し、地域情報の閲覧を要求する運転者にとって有益な情報を配信することが可能な地域情報配信システムを提供することができる。
【発明を実施するための最良の形態】
【００１２】
以下に、本発明の実施形態を添付図面に基づいて説明する。
【００１３】
図１において、地域情報配信システムは、第１の地域情報配信サーバであるＷｅｂサーバ１と、第２の地域情報配信サーバであるＷｅｂサーバ４と、車載情報提示装置６と、から構成されている。
【００１４】
そして、本実施形態においては、地域情報配信システムは、地域情報として交通事故ではないが多くの運転手が車両走行中に危険を感じた地点を表す道路状況に関するヒヤリハット地域情報を、その関連した情報としてヒヤリハット地点を走行した車両の運転手の走行事例報告を具体例として説明する。
【００１５】
Ｗｅｂサーバ１は、地域情報データベース２と、関連情報ＵＲＩ（Uniform Resource Identifier 以下、ＵＲＩという）データベース３とを備えており、公衆網７と接続している。Ｗｅｂサーバ１は、地域情報とその地域情報に関連する関連情報を提供するサーバであって、車載情報提示装置６から地域情報を要求された場合に、地域情報データベース２から要求に適合する地域情報を取得し、さらに関連情報ＵＲＩデータベース３から取得した地域情報に関係付けられた関連情報の所在を表すＵＲＩを取得し、前記ＵＲＩに示される関連情報をＷｅｂサーバ４から取得して、車載情報提示装置６へ送信するものである。
【００１６】
地域情報データベース２は、地域を特定する情報と、その地域に関する情報とを対に持つ地域情報を保持するものである。
【００１７】
ここで、地域を特定する情報とは、例えば、任意の地点を含む矩形領域で表し、対角２点の緯度・経度（矩形の北西端と南東端など）で地域を特定した情報です。なお、任意の地点を含むのは矩形領域に限らず、任意の地点を中心とする円領域で表し、中心点緯度経度と警告範囲半径（単位ｍ）で地域を特定したものでもよい。
【００１８】
また、その地域に関する情報としては、例えば、ヒヤリハットする事象種別で、「カーブ注意」、「凍結注意」、「右折注意」、「追突注意（下り勾配などで減速しにくい個所など）」などです。あるいは、警報条件で、前記地点で警報を発するための走行状況の条件です。具体的には、60km/h以上で走行していたら警告、30〜60km/hで走行していたら準警告、30km/h未満で走行していたら警報なしなど、また、走行時の時刻が17:00〜20:00の間なら警報をするかなどの警報有無の条件です。
【００１９】
関連情報ＵＲＩデータベース３は、地域情報データベース２内に保持される地域情報に関連付けられたURIを保持するものである。このデータベースに格納されるＵＲＩ情報は、例えば関連情報が作成された時点で地域情報データベースに対して関連付けを通知する機能（「トラックバック」とも呼ばれる）を利用して蓄積される。なお、関連付けられたＵＲＩとは、地域情報と前記URIとを関係付けたものです。
【００２０】
Ｗｅｂサーバ４は、関連情報データベース５を備えており、公衆網７と接続している。Ｗｅｂサーバ４は、地域情報に関連した情報を提供するものである。
【００２１】
関連情報データベース５は、地域情報に関連した情報を保持するもので、この情報は、例えば、「何月何日の何時何分何秒に、××付近を50km/hで走行中、道路左側から子供が飛び出してきました。」という文章などからなるコンテンツです。
【００２２】
車載情報提示装置６は、車載無線通信装置６ａと情報提示装置６ｂとで構成され、車載無線通信装置６ａは、公衆網７を介してＷｅｂサーバ１と通信するための装置であり、情報提示装置６ｂは画面や音声などによって地域情報を情報閲覧者へ提示する機能を有するものである。
【００２３】
図２を用いて、地域情報配信システムにおける地域情報の動作順序を示す。
【００２４】
まず、車載情報提示装置６はＷｅｂサーバ１に対して、地域情報要求を送信する（ステップＳ１）。
【００２５】
地域情報要求を受信したＷｅｂサーバ１は、地域情報データベース２に地域情報を問い合わせ、地域情報データベース２は問い合わせに合致する地域情報をＷｅｂサーバ１へ返却する（ステップＳ２，Ｓ３）。
【００２６】
次に、Ｗｅｂサーバ１は、取得した地域情報に関係する関連情報ＵＲＩを、関連情報ＵＲＩデータベース３に問い合わせ、関連情報ＵＲＩデータベースは前記地域情報に関係する情報のＵＲＩを返却する（ステップＳ４，Ｓ５）。
【００２７】
次に、Ｗｅｂサーバ１は、取得した関連情報ＵＲＩからＷｅｂサーバ４へ関連情報の転送要求を送信する（ステップＳ６）。関連情報の転送要求を受信したＷｅｂサーバ４は、関連情報データベース５に関連情報を問い合わせ、関連情報データベース５は前記関連情報を返却する（ステップＳ７、Ｓ８）。Ｗｅｂサーバ４は、前記関連情報をＷｅｂサーバ１へ返却する（ステップＳ９）。
【００２８】
Ｗｅｂサーバ１は、関連情報ＵＲＩが複数ある場合は、ステップＳ６からＳ９までの処理を繰り返す。
【００２９】
全ての関連情報を収集したＷｅｂサーバ１は、収集した関連情報に対して所定の規則に基づいたフィルタリング処理を実行する（ステップＳ１０）。尚、フィルタリング処理の詳細については、後で詳述する。
【００３０】
次に、Ｗｅｂサーバ１は、地域情報とフィルタリング処理によって加工された関連情報を車載情報提示装置６へ返す（ステップＳ１１）。
【００３１】
配信された地域情報と関連情報を受信した車載情報提示装置６は、地域情報、および関連情報に含まれる文字情報、画像情報、音声データ等を、表示機や音声出力装置を用いて提示する（ステップＳ１２）。
【００３２】
次に、図３を用いて、図２ステップＳ１０のフィルタリング処理を詳述する。
【００３３】
図３のフローチャートは、あるヒヤリハット地点情報の関連情報の中から、最近1週間のヒヤリハットした事例を抽出し、その中の最頻事例を要約した１文を出力するフィルタ処理を表した例である。
【００３４】
まず、ループカウンタｉに１を格納する（ステップＳ１０１）。
【００３５】
次に、第i番目のメッセージmsg_iをパラメータとしたフィルタ関数 f(msg_i) の値が真か偽かを判断する（ステップＳ１０２）。このフィルタ関数 f() は、パラメータmsg_iのメッセージが最近１週間以内に作成され、且つ本文中に「注意」、「危険」、「びっくり」、「焦った」のいずれかの語句を含む場合には、値「真」を採り、そうでなければ値「偽」を採る関数である。
【００３６】
ステップＳ１０２のフィルタ関数の値が真であった場合、第i番目のメッセージから、方向を表すキーワードと危険事象を表すキーワードを抽出する（ステップＳ１０３）。例えば、方向を表すキーワードとして、「左側」、「前方」、「右側」を抽出する。尚、「左」、「左方」、「左前方」、「左後方」などが文中に含まれている場合は、これらの語を「左側」と同義に扱う。右側についても同様に、類似語を予め用意しておき、類似後が含まれている場合は「右側」と同義に扱う。また、危険事象を表すキーワードとして、「飛び出し」、「追い越し」、「スリップ」を抽出する。これらの語句についても、予め類似語を用意しておき、文中に類似語が含まれる場合はその類似語と同義のキーワードを抽出したものとして扱う。
【００３７】
ステップＳ１０３で抽出したキーワードをもとに、第i番目のメッセージがどのような危険事象の報告であったかを分類し、図４に示す度数分布表を作成更新する統計情報を生成する（ステップＳ１０４）。
【００３８】
ステップＳ１０５にてループカウンタを更新した後、ループカウンタが取得した情報件数以下であるかどうかを判断する（ステップＳ１０６）。ループカウンタが取得情報件数以下である場合は、ステップＳ１０２からＳ１０５を繰り返す。
【００３９】
ステップＳ１０２からＳ１０５の繰り返しで作成された度数分布表より、最頻値をとるキーワードの組み合わせを抽出する（ステップＳ１０７）。図４の例では、「前方」と「スリップ」が事例報告が最頻の組合せである。
【００４０】
ステップＳ１０７で抽出された最頻事例のキーワードより、関連情報の要約を生成する（ステップＳ１０８）。例えば、図５に示す要約文のテーブルが用意されている場合、キーワード「前方」と「スリップ」の組み合わせの文「最近、スリップによるヒヤリハット事例が多く報告されています。」に、注意喚起のメッセージを添えた文「最近、スリップによるヒヤリハット事例が多く報告されています。十分注意して運転してください。」を要約文として生成する。
【００４１】
以上により、関連情報のフィルタリングが行われ、関連情報をまとめたメッセージが生成される。
【００４２】
なお、本発明の実施形態では、フィルタリング処理を図３に示すフローの処理で行ったが、本発明にあっては、フィルタリング処理として、複数文からの要約文生成処理であっても良い。
【００４３】
なお、本発明の実施形態では、地域関連情報ＵＲＩデータベース３に格納されているＵＲＩ情報をもとに関連情報の収集・生成を行ったが、本発明にあっては、データベース３は関連情報のトラックバック処理された時点で関連情報の分析を行った結果を格納するデータベースであっても良く、この場合においては、Ｗｅｂサーバ４に問い合わせることなく、データベース３に対して問い合わせをした結果のみから関連情報を生成するものであっても良い。
【００４４】
なお、前記実施形態では、Ｗｅｂサーバ１がフィルタリング処理を行っていたが、前記実施形態に限定されるものではなく、車載情報提示装置６がフィルタリング手段を具備し、フィルタリング処理を行うようにしても良い。
【００４５】
なお、前記実施形態では、地域情報・地域関連情報にヒヤリハット情報を用いたが、本発明にあっては店舗情報や施設情報等のＰＯＩ（Point Of Interest）を地域情報・地域関連情報として使用しても良い。
【図面の簡単な説明】
【００４６】
【図１】本発明の一実施形態としてのシステムの構成を表す図。
【図２】同上実施形態の動作順序を示すシーケンス図。
【図３】同上実施形態のフィルタリング処理を示すフローチャート図。
【図４】同上実施形態のフィルタリング処理での統計処理で利用する度数分布表を示す図。
【図５】同上実施形態のフィルタリング処理での要約文テーブルを示す図。
【符号の説明】
【００４７】
１  Ｗｅｂサーバ（地域情報配信サーバ）
２  地域情報データベース
３  関連情報ＵＲＩデータベース
４  Ｗｅｂサーバ（地域関連情報サーバ）
５  関連情報データベース
６  車載情報提示装置
６ａ  車載無線通信装置
６ｂ  情報提示装置
７  公衆網（インターネット）
【図１】
2008009624.tif 000003
【図２】
2008009624.tif 000004
【図３】
2008009624.tif 000005
【図４】
2008009624.tif 000006
【図５】
2008009624.tif 000007